(57)【要約】【課題】電力がむだに使われてしまうことのない電子広告システム用スピーカシステムを提供する。【解決手段】電子広告システム用スピーカシステム１００は、カメラ１１と、人感センサ１２５と、電源供給ユニット１０１と、電源供給ユニット１０１から無線で電力の供給を受けるスピーカユニット１０２を備えた電子広告システム用スピーカシステムであって、カメラ１１と人感センサ１２５により人の検知をしない場合は、電源供給ユニット１０１の電源部１１０を待機モードにし、カメラ１１と人感センサ１２５により人の検知が行われた場合は、電源供給ユニット１０１の電源部１１０を待機モードから電源供給モードにする制御手段１１４を備えた。【選択図】図３
2011053461.tif 000002
【特許請求の範囲】
【請求項１】
カメラと、人感センサと、
電源供給ユニットと、前記電源供給ユニットから無線で電力の供給を受けるスピーカユニットを備えた電子広告システム用スピーカシステムであって、
前記カメラと前記人感センサにより人の検知をしない場合は、前記電源供給ユニットの電源部を待機モードにし、
前記カメラと前記人感センサにより人の検知が行われた場合は、前記電源供給ユニットの前記電源部を前記待機モードから電源供給モードにする制御手段を備えたことを特徴とする電子広告システム用スピーカシステム。
【請求項２】
カメラと、人感センサと、
電源供給ユニットと、前記電源供給ユニットから無線で電力の供給を受けるスピーカユニットを備えた電子広告システム用スピーカシステムであって、
前記カメラによって撮影された撮影画像データ内において人間の顔を検出する顔検出手段と、
前記カメラによって撮影された撮影画像データから前記顔の第１の特徴に基づいて前記カメラから前記顔までの距離を推定する距離推定手段と、
前記距離推定手段によって推定された前記距離に応じて前記電源供給ユニットの電源部を待機モードまたは電源供給モードに制御する制御手段と、
を備えたことを特徴とする電子広告システム用スピーカシステム。
【請求項３】
カメラと、人感センサと、
電源供給ユニットと、前記電源供給ユニットから無線で電力の供給を受けるスピーカユニットを備えた電子広告システム用スピーカシステムであって、
前記カメラによって撮影された撮影画像データ内において人間の顔を検出する顔検出手段と、
前記カメラによって撮影された撮影画像データから前記顔の第１の特徴に基づいて前記カメラから前記顔までの距離を推定する距離推定手段と、
前記撮影画像データから前記顔の第２の特徴に基づいて前記人間の属性を推定する属性推定手段と、
前記距離推定手段によって推定された前記距離が所定の距離になったとき前記スピーカユニットによって出力する音楽またはメッセージを前記属性推定手段によって推定した属性に基づいて選択して出力する音声選択手段と、
を備えたことを特徴とする電子広告システム用スピーカシステム。
【請求項４】
前記顔の第１の特徴は、目の間隔であることを特徴とする請求項２または３記載の電子広告システム用スピーカシステム。
【請求項５】
前記顔の第１の特徴は、前記顔のサイズであることを特徴とする請求項２または３記載の電子広告システム用スピーカシステム。
【請求項６】
前記距離推定手段は、推定した距離が所定の距離以内になった顔の数を計数する顔計数手段を備え、
前記音声選択手段は、複数の顔の中から多数の方の属性にあう音声を選択することを特徴とする請求項３記載の電子広告システム用スピーカシステム。
【請求項７】
集音マイクと、
電源供給ユニットと、前記電源供給ユニットから無線で電力の供給を受けるスピーカユニットを備えた電子広告システム用スピーカシステムであって、
前記集音マイクにより検出した音声からノイズレベルを検出するノイズレベル検出手段と、
前記ノイズレベル検出手段によって検出された前記ノイズレベルによって増幅出力部の増幅レベルを調整する制御手段を備えたことを特徴とする電子広告システム用スピーカシステム。
【請求項８】
２つの電源供給ユニットと、前記２つの電源供給ユニットからそれぞれ無線で電力の供給を受ける２つのスピーカユニットを備えた電子広告システム用スピーカシステムであって、
前記２つのスピーカユニットは、それぞれ人感センサを備え、
前記２つの人感センサのうちいずれかが人を検出した場合、検出した側のスピーカユニットから音声を出力し、両方の人感センサが人を検出した場合は、両方のスピーカユニットから音声を出力する制御手段を備えたことを特徴とする電子広告システム用スピーカシステム。
【発明の詳細な説明】
【技術分野】
【０００１】
本発明は、電子広告システム用スピーカシステムに関し、特に、静止画像や動画像等の画像を表示する電子広告システムに用いる電子広告システム用スピーカシステムに関する。
【背景技術】
【０００２】
近年、従来の印刷ポスター等に代わって平面ディスプレイ等によって映像や情報（静止画像や動画像等の画像）を表示する電子広告システムが使われ始めている。電子広告システムは、デジタルサイネージとも言われており、印刷後は表示内容が固定されるポスターと異なり、通信手段や内蔵記憶装置に多数の表示情報を保持しておくことで、表示内容を切り換えたり動画像表示を行うなど、多様な映像広告を行うことができる。
【０００３】
電子広告システムは、一般に、プラズマディスプレイや液晶ディスプレイ、ＬＥＤディスプレイ等の表示装置と、映像表示制御部と記憶装置等による制御部を備えており、動画像や静止画像の情報を表示装置に表示するようになっている。電子広告システムの設置場所としては、ビルの壁面やデパート、スーパー、コンビニエンスストア、ホテル、銀行、空港、駅等があげられる。
【０００４】
また、電子広告システムは、日々発展しており、一方向の広告の表示のみであったシステムが、双方向の広告、すなわち、表示画面の前にいる人の性別や年齢等の特性を検出し、その表示画面に再生する画像内容を制御する技術が開示されている。特に、画面を見る人の位置に向けられたカメラによって撮影された画像（以下では、表示装置で表示する画像と区別するために、撮影画像という用語を用いる。）からの人の顔の特徴から性別、年齢を判定し、その判定した属性の人にあった内容の画像（以下では、カメラによって撮影された画像と区別するために、表示画像という用語を用いる。この表示画像は、静止画像や動画像を含んでいる。）を表示装置に表示する表示システムが特許文献１に開示されている。
【０００５】
電子広告システムでは、画像の表示のみで、音声を流さないものが多く見られるが、広告のためには、画像以外に音声を流すことも効果的である。そのためには、電子広告システム用のスピーカシステムが必要である。
【０００６】
電子広告システムは、屋外の人に広告を表示することがあるが、そのときには、屋外の人に音声が聞こえるようにする必要がある。そのため、屋外にスピーカを設けなければならない。屋外にスピーカを設けるためには、電源部や音声信号をスピーカに送るために屋内に設けた電源部などからのケーブルを壁に孔をあけ、その孔を通してケーブルを配線する必要がある。
【０００７】
しかしながら、特許文献２に開示されるようなワイヤレススピーカシステムを用いることによって、壁等に孔を開けないでスピーカを設置する方法も考えられる。
【先行技術文献】
【特許文献】
【０００８】
【特許文献１】特開２００５−２５１１７０号公報
【特許文献２】特開２００６−５４２６号公報
【発明の概要】
【発明が解決しようとする課題】
【０００９】
これまで開示されている電子広告システムは、一方向の広告のみであったものが、双方向、すなわち、表示画面の前にいる人の特性により、表示内容を変えるというシステムまで発展してきている。しかしながら、音声については、特に人がいるいないにかかわらず、変化させず、人がいないときでもスピーカを動作させ、音声を流しているということが一般的であった。そのため、人がいないにもかかわらず音声を流し、そのため、音声による広告の効率が悪く、また、電力がむだに使われてしまうという問題点があった。また、人の属性にかかわらず、一方的に音声を流し、そのため、その音声が人の注意をひかず、一方的に音声を流すことになり、やはり、音声による広告の効率が悪く、電力のむだ使いになってしまうという問題点があった。ここで、音声による広告の効率とは、例えば、広告を音声により出力して流した時間に対するその広告を人が聞いた時間の割合、または、特定の広告を音声により出力して流した時間に対するその特定の広告の対象となる人が聞いた時間の割合で定義する。
【００１０】
本発明の目的は、上記の課題に鑑み、音声による広告の効率が高く、電力がむだに使われてしまうことのない電子広告システム用スピーカシステムを提供することにある。
【課題を解決するための手段】
【００１１】
本発明に係る電子広告システム用スピーカシステムは、上記の目的を達成するため、次のように構成される。
【００１２】
第１の電子広告システム用スピーカシステム（請求項１に対応）は、カメラと、人感センサと、電源供給ユニットと、電源供給ユニットから無線で電力の供給を受けるスピーカユニットを備えた電子広告システム用スピーカシステムであって、カメラと人感センサにより人の検知をしない場合は、電源供給ユニットの電源部を待機モードにし、カメラと人感センサにより人の検知が行われた場合は、電源供給ユニットの電源部を待機モードから電源供給モードにする制御手段を備えたことを特徴とする。
【００１３】
第２の電子広告システム用スピーカシステム（請求項２に対応）は、カメラと、人感センサと、電源供給ユニットと、電源供給ユニットから無線で電力の供給を受けるスピーカユニットを備えた電子広告システム用スピーカシステムであって、カメラによって撮影された撮影画像データ内において人間の顔を検出する顔検出手段と、カメラによって撮影された撮影画像データから顔の第１の特徴に基づいてカメラから顔までの距離を推定する距離推定手段と、距離推定手段によって推定された距離に応じて電源供給ユニットの電源部を待機モードまたは電源供給モードに制御する制御手段と、を備えたことを特徴とする。
【００１４】
第３の電子広告システム用スピーカシステム（請求項３に対応）は、カメラと、電源供給ユニットと、電源供給ユニットから無線で電力の供給を受けるスピーカユニットを備えた電子広告システム用スピーカシステムであって、カメラによって撮影された撮影画像データ内において人間の顔を検出する顔検出手段と、カメラによって撮影された撮影画像データから顔の第１の特徴に基づいてカメラから顔までの距離を推定する距離推定手段と、撮影画像データから顔の第２の特徴に基づいて人間の属性を推定する属性推定手段と、距離推定手段によって推定された距離が所定の距離になったときスピーカユニットによって出力する音楽またはメッセージを属性推定手段によって推定した属性に基づいて選択して出力する音声選択手段と、を備えたことを特徴とする。
【００１５】
第４の電子広告システム用スピーカシステム（請求項４に対応）は、上記の構成において、好ましくは、顔の第１の特徴は、目の間隔であることを特徴とする。
【００１６】
第５の電子広告システム用スピーカユニット（請求項５に対応）は、上記の構成において、好ましくは、顔の第１の特徴は、顔のサイズであることを特徴とする。
【００１７】
第６の電子広告システム用スピーカシステム（請求項６に対応）は、上記の構成において、好ましくは、距離推定手段は、推定した距離が所定の距離以内になった顔の数を計数する顔計数手段を備え、音声選択手段は、複数の顔の中から多数の方の属性にあう音声を選択することを特徴とする。
【００１８】
第７の電子広告システム用スピーカシステム（請求項７に対応）は、集音マイクと、電源供給ユニットと、電源供給ユニットから無線で電力の供給を受けるスピーカユニットを備えた電子広告システム用スピーカシステムであって、集音マイクにより検出した音声からノイズレベルを検出するノイズレベル検出手段と、ノイズレベル検出手段によって検出されたノイズレベルによって増幅出力部の増幅レベルを調整する制御手段を備えたことを特徴とする。
【００１９】
第８の電子広告システム用スピーカシステム（請求項８に対応）は、２つの電源供給ユニットと、２つの電源供給ユニットからそれぞれ無線で電力の供給を受ける２つのスピーカユニットを備えた電子広告システム用スピーカシステムであって、２つのスピーカユニットは、それぞれ人感センサを備え、２つの人感センサのうちいずれかが人を検出した場合、検出した側のスピーカユニットから音声を出力し、両方の人感センサが人を検出した場合は、両方のスピーカユニットから音声を出力する制御手段を備えたことを特徴とする。
【発明の効果】
【００２０】
本発明によれば、カメラと、人感センサと、電源供給ユニットと、電源供給ユニットから無線で電力の供給を受けるスピーカユニットを備えた電子広告システム用スピーカシステムであって、カメラと人感センサにより人の検知をしない場合は、電源供給ユニットの電源部を待機モードにし、カメラと人感センサにより人の検知が行われた場合は、電源供給ユニットの電源部を待機モードから電源供給モードに戻す制御手段を備えたため、人がいないときには音声の出力を抑え、人がいるときだけ音声を出力するようにしたので、音声による広告を出力して流す時間に対する人のその広告が聞こえる時間の割合、すなわち、音声による広告の効率が高くなり、また、スピーカの電力がむだに使われてしまうということがなくなる。
【００２１】
また、本発明によれば、カメラと、人感センサと、電源供給ユニットと、電源供給ユニットから無線で電力の供給を受けるスピーカユニットを備えた電子広告システム用スピーカシステムであって、カメラによって撮影された撮影画像データ内において人間の顔を検出する顔検出手段と、カメラによって撮影された撮影画像データから顔の第１の特徴に基づいてカメラから顔までの距離を推定する距離推定手段と、距離推定手段によって推定された距離に応じて電源供給ユニットの電源部を待機モードまたは電源供給モードに制御する制御手段と、を備えたため、人が音声を出力するスピーカシステムから遠くに位置するときには、音声の出力を抑え、人が音声を出力するスピーカシステムの近くにいるときだけ音声を出力するようにしたので、音声による広告の効率が高くなり、また、スピーカの電力がむだに使われてしまうということがなくなる。
【００２２】
さらに、本発明によれば、カメラと、電源供給ユニットと、電源供給ユニットから無線で電力の供給を受けるスピーカユニットを備えた電子広告システム用スピーカシステムであって、カメラによって撮影された撮影画像データ内において人間の顔を検出する顔検出手段と、カメラによって撮影された撮影画像データから顔の第１の特徴に基づいてカメラから顔までの距離を推定する距離推定手段と、撮影画像データから顔の第２の特徴に基づいて人間の属性を推定する属性推定手段と、距離推定手段によって推定された距離が所定の距離になったときスピーカユニットによって出力する音楽またはメッセージを属性推定手段によって推定した属性に基づいて選択して出力する音声選択手段と、を備えたため、人の属性に合った音声を出力するので、その音声が人の注意を引き、一方的に音声を流すことがなくすことができる。結果として、音声による人の属性にあった特定の広告を出力し流す時間に対するその特定の広告の対象となる人の聞く時間の割合、すなわち、音声による広告の効率が高くなる。
【００２３】
また、本発明によれば、集音マイクと、電源供給ユニットと、電源供給ユニットから無線で電力の供給を受けるスピーカユニットを備えた電子広告システム用スピーカシステムであって、集音マイクにより検出した音声からノイズレベルを検出するノイズレベル検出手段と、ノイズレベル検出手段によって検出されたノイズレベルによって増幅出力部の増幅レベルを調整する制御手段を備えたため、ノイズに打ち消されないように音声を出力することができる。結果として、音声による広告を出力し流す時間に対する人のその広告が聞こえる時間の割合、すなわち、音声による広告の効率を高くすることができる。
【００２４】
さらに、本発明によれば、２つの電源供給ユニットと、２つの電源供給ユニットからそれぞれ無線で電力の供給を受ける２つのスピーカユニットを備えた電子広告システム用スピーカシステムであって、２つのスピーカユニットは、それぞれ人感センサを備え、２つの人感センサのうちいずれかが人を検出した場合、検出した側のスピーカユニットから音声を出力し、両方の人感センサが人を検出した場合は、両方のスピーカユニットから音声を出力する制御手段を備えたため、人の位置に応じて２つのスピーカのうち音声を出力するスピーカが決定されるので、より人に音声を聞きやすくすることができる。
【図面の簡単な説明】
【００２５】
【図１】本発明の第１実施形態に係る電子広告システム用スピーカシステムを備えた電子広告システムの外観構成を示す図である。
【図２】本発明の第１実施形態に係る電子広告システム用スピーカシステムを備えた電子広告システムを示すブロック図である。
【図３】本発明の第１実施形態に係る電子広告システム用スピーカシステムのブロック図である。
【図４】本発明の第１実施形態に係る電子広告システム用スピーカシステムを備えた電子広告システムの動作を説明するフローチャートである。
【図５】本発明の第２実施形態に係る電子広告システム用スピーカシステムを備えた電子広告システムを示すブロック図である。
【図６】本発明の第２実施形態に係る電子広告システム用スピーカシステムのブロック図である。
【図７】本発明の第２実施形態に係る電子広告システム用スピーカシステムを備えた電子広告システムの動作を説明するフローチャートである。
【図８】本発明の第３実施形態に係る電子広告システム用スピーカシステムを備えた電子広告システムの動作を説明するフローチャートである。
【図９】本発明の第３実施形態に係る電子広告システム用スピーカシステムを備えた電子広告システムの動作を説明するフローチャートである。
【図１０】本発明の第３実施形態に係る電子広告システム用スピーカシステムを備えた電子広告システムの動作を説明するフローチャートである。
【図１１】本発明の第３実施形態に係る電子広告システム用スピーカシステムを備えた電子広告システムの動作を説明するフローチャートである。
【図１２】本発明の第４実施形態に係る電子広告システム用スピーカシステムのブロック図である。
【図１３】本発明の第４実施形態に係る電子広告システム用スピーカシステムの動作を説明するフローチャートである。
【図１４】本発明の第５実施形態に係る電子広告システム用スピーカシステム４００を備えた電子広告システムの模式図である。（ａ）は、電子広告システムの正面図であり、（ｂ）は、電子広告システムを上部から見た図である。
【図１５】本発明の第５実施形態に係る電子広告システム用スピーカシステムのブロック図である。
【図１６】本発明の第５実施形態に係る電子広告システム用スピーカシステムの動作を説明するフローチャートである。
【発明を実施するための形態】
【００２６】
以下に、本発明の好適な実施形態（実施例）を添付図面に基づいて説明する。
【００２７】
図１は、本発明の第１実施形態に係る電子広告システム用スピーカシステムを備えた電子広告システムの外観構成を示す図であり、図２は、本発明の第１実施形態に係る電子広告システム用スピーカシステムを備えた電子広告システムを示すブロック図である。この電子広告システムは、人の画面からの距離を推定する距離推定手段を備え、距離推定手段によって画面からの人の距離が推定されたときに、画面に表示する表示画像を距離に応じて変えることができるシステムである。また、スピーカシステムは、カメラと人感センサにより人を検知しない場合は、電源供給ユニットの電源部を待機モードにし、カメラと人感センサにより人を検知した場合は、電源供給ユニットの電源部を待機モードから電源供給モードにするようになっている。図１では、電子広告システム１０がコンビニエンスストア２に設置された例を示している。
【００２８】
図１において、電子広告システム１０は、カメラ１１と、液晶ディスプレイからなる画像表示部１２と、画像表示部１２で表示する表示画像を制御する制御装置１３と、記憶装置１４と、電子広告システム用スピーカシステム（以下、スピーカシステム）１００を備えている。図中、符号１は、人を表している。電子広告システム１０の画像表示部１２は、コンビニエンスストア２の入口３の近くに設置され、屋外広告の手段として利用したり、コンビニエンスストア２の店内に設置され、店内での広告の手段として利用したりすることができる。スピーカシステム１００は、電源供給ユニット１０１が屋内に設けられ、スピーカユニット１０２は、ガラス１０３の外側に配置されている。電源供給ユニット１０１からの電力と音声信号は、無線によりガラス１０３を通してスピーカユニット１０２に送られ、音声を出力する。図１では、画像表示部１２は、コンビニエンスストア２の入口３の近くに設置されている。また、スピーカシステム１００の電源供給ユニット１０１は、屋内で支持パイプ１０４によって支えられている。また、スピーカユニット１０２は、支持パイプ１０５によって支えられている。支持パイプ１０４内には、電源供給ユニット１０１と制御装置１３とを電気的に接続する配線が設けられている。
【００２９】
カメラ１１は、画像表示部１２の画面の取り付け台に取り付けられ、画面の前方を撮影する。カメラ１１で撮影された撮影画像は、制御装置１３に送られ、その撮影画像内に人の顔が検出されたら、その人の顔と画面との距離に応じて、表示する表示画像が選択され、その選択された表示画像が表示される。また、その人の顔と画面との距離に応じて、スピーカシステム１００から音声を出力するか否か決定される。例えば、人の顔と画面との距離が５ｍ以上離れていた場合、５ｍ以上離れた距離から通常の視力を持つ人が識別できる程度の文字や絵が描かれた表示画像が表示される。また、そのときは、スピーカシステム１００から音声を出力せず、電源は待機モードになっている。また、人の顔と画面との距離が５ｍ以内の場合には、５ｍ以内の距離で通常の視力を持つ人が識別できる文字や絵で描かれた表示画像が表示される。そして、そのとき、スピーカシステム１００から電源を電源供給モードにし、音声を出力するようにする。カメラ１１は、画面を見ている人の注意を引きつけないように目立たない小型のものが用いられることが好ましい。
なお、ここでは、５ｍをしきい値としたが、カメラに人が撮影された段階で、または、人感センサ１２５（図３参照）によって人を検知したときに音声を出力するようにしても良い。また、ここでは、カメラ１１によって撮影された顔からその人の距離を推定するようにしているが、距離センサを設けて、カメラによって撮影された人との距離を距離センサによって測定するようにしても良い。
【００３０】
画像表示部１２は、後述の制御部２０によって制御される。制御部２０は、記憶装置１４に記憶された表示画像を画像表示部１２に表示させる。なお、制御部２０は、図示しない映像配信装置によって配信された表示画像を画像表示部１２に表示させてもよい。また、制御部２０は、後述の画像選択部２３によって選択された表示画像を、記憶装置１４から選択し、画像表示部１２に表示させる。
【００３１】
記憶装置１４は、画像表示部１２で表示する表示画像と、スピーカシステム１００によって出力する音声が記憶されている。それらの表示画像と音声は、広告用の表示画像、音声等であり、また、その表示画像は、人と画面との距離に対応して表示する表示画像が記憶されている。例えば、文字情報を含む表示画像では、人と画面との距離が遠いときは、遠くでも見ることができるような大きな文字や、絵の情報でも遠くから見ることができるような大きな表示画像が記憶されている。また、人と画面との距離が近いときには、小さな文字で情報量が多い映像が見られるように、記憶されている。例えば、表示画像と音声は、コンビニエンスストア２で販売されている商品の広告用の表示画像とその音声によるメッセージや音楽であり、女性用化粧品や男性用化粧品や、菓子等の広告用の表示画像とその音声によるメッセージや音楽である。また、記憶装置１４には、人の顔と画面との距離が５ｍ以上離れている場合に表示するための化粧品や、菓子の名前とパッケージのみを大きく表示した表示画像と、人の顔と画面との距離が５ｍ以内のときに表示するための、化粧品の名前の他に効能を細かく記載した表示画像や、菓子の名前の他に内容を細かく記載した表示画像が記憶されている。
【００３２】
スピーカシステム１００は、音声信号送信部と電力送信部とを有する電源供給ユニット１０１と、音声信号受信部と電力受信部とを有するスピーカユニット１０２により構成される。スピーカシステム１００の電源供給ユニット１０１の電力送信部より無線送信された電力をスピーカユニット１０２の電力受信部によって受信し、スピーカユニット１０２の内部回路の電源とし、音声信号は、電源供給ユニット１０１の音声信号送信部より無線送信され、無線送信された音声信号をスピーカユニット１０２の音声信号受信部にて受信し、受信した音声信号を内部で処理して増幅して、音声信号に基づいた音声出力をスピーカ１３０より出力する。
【００３３】
制御装置１３は、図２に示すように、制御部２０と、顔検出部２１と、距離推定部２２と、画像選択部２３と、スピーカシステム駆動部１０６を備えている。図２では、記憶装置１４が制御装置１３の内部に含まれるように記載されているが、制御装置１３の外部にあってもよい。また、制御装置１３は、例えば、ＣＰＵとメモリと入出力インタフェース等から構成され、制御部２０と顔検出部２１と距離推定部２２と画像選択部２３とスピーカシステム駆動部１０６は、それぞれ、メモリに記憶された制御プログラム、顔検出プログラム、距離推定プログラム、画像選択プログラム、スピーカシステム駆動プログラム等のソフトウェアによってそれらの機能を果たすようにすることができる。もちろん、制御部２０と顔検出部２１と距離推定部２２と画像選択部２３とスピーカシステム駆動部１０６をハードウェアによる構成または、ハードウェアとソフトウェアとの組み合わせで構成することもできる。
【００３４】
制御部２０は、カメラ１１と画像表示部１２とスピーカシステム１００の動作を制御する。また、制御部２０は、顔検出部２１と、距離推定部２２と画像選択部２３と記憶装置１４とスピーカシステム駆動部１０６を制御する。
【００３５】
顔検出部２１は、例えば、パターン認識処理を実行してカメラ１１によって撮影された撮影画像データから顔の情報を検出する。そして、画像データから顔の情報が検出されたならば、制御部２０に顔が検出されたことを知らせる信号を送る。また、顔が検出されたならば、制御部２０は、顔の情報を距離推定部２２へ送る指令を出力する。顔の情報を距離推定部２２に送る。この顔検出部２１の処理は、例えば、特開２００８−１９１６８３号公報に開示された方法を用いることができる。すなわち、まず、型紙を意味するテンプレートの中心点を取得した撮影画像データのある座標点に置き、この中心点を走査しながら、テンプレートと撮影画像データとの重なり部分の類似度を計算して、類似度が最大になる位置を決定する。顔の撮影画像データから抽出されたパターンを、例えば目や耳等の形状を含むテンプレートにマッチングさせることにより、目の位置等の顔の情報を取得することができる。そして、パターン認識を用いる方法以外に、ニューラルネットワーク等による学習を用いる方法、物理的な形状における特徴のある部位を撮影画像領域から抽出する方法等、多数の方法がある。ここで、パターン認識とは、抽出されたパターンを予め定められた概念の１つに対応（マッチング）させる処理である。また、テンプレートマッチングとは、型紙を意味するテンプレートを撮影画像上で移動させながら、撮影画像とテンプレートとを比較する方法である。この方法により、目と鼻等の物理的形状を撮影画像領域から抽出する。
【００３６】
距離推定部２２は、顔検出部２１から送られた顔の情報から目の間隔のピクセル数をカウントし、このピクセル数により目の間隔を算出する。そして、予め求めておいた目の間隔（ピクセル数）と距離との関係を示すグラフを用いて、画面から顔までの距離を推定する。推定された人と画面との間の距離の情報は、画像選択部２３と、スピーカシステム駆動部１０６に出力される。また、サングラスやめがねをかけた人では、目の間隔を画像から得ることができないので、そのような場合には、後述するような、顔のサイズから距離を推定するようにすることができる。
【００３７】
画像選択部２３は、距離と記憶装置１４に記憶される表示画像との対応関係を有するテーブルを記憶しており、そのテーブルを用いて、距離推定部２２によって推定された人と画面との距離に対応する表示画像を選択し、その表示画像番号を制御部２０に出力する。制御部２０は、記憶装置１４からその表示画像番号に対応する表示画像を画像表示部１２に出力し、画像表示部１２は、その表示画像を表示する。
【００３８】
スピーカシステム駆動部１０６は、距離情報と人感センサ１２５（図３参照）からの人を検知しないかしたかの信号に基づいて、待機モードにするか否かの情報をスピーカシステム１００に送る。
【００３９】
図３は、本発明の第１の実施形態に係る電子広告システム用スピーカシステム１００のブロック図である。スピーカシステム１００は、電源供給ユニット１０１とスピーカユニット１０２を備えている。電源供給ユニット１０１は、電源部１１０と電力送信部１１１と入力信号処理部１１２と音声信号送信部１１３と制御部１１４と信号出力部１１５と信号受信部１１６を備えている。スピーカユニット１０２は、電力受信部１２０と電源供給部１２１と音声信号受信部１２２と受信信号処理部１２３と増幅出力部１２４と人感センサ１２５と入力信号処理部１２６と信号送信部１２７を備えている。
【００４０】
図３において、電源部１１０からの電力は、電力送信部１１１によって、マイクロ波やコイル結合によって無線でスピーカユニット１０２に送られ、スピーカユニット１０２の電力受信部１２０によって電力が受信される。電力受信部１２０によって受信された電力は、電源供給部１２１によって、音声信号受信部１２２と受信信号処理部１２３と増幅出力部１２４に送られる。また、電源供給ユニット１０１の電源部１１０は、入力信号処理部１１２と音声信号送信部１１３に電力が送られる。
【００４１】
制御装置１３から送られた音声信号は、入力信号処理部１１２から音声信号送信部１１３に送られ、音声信号送信部１１３は、赤外線により、スピーカユニット１０２に送られる。音声信号送信部１１３から送られた赤外線は、音声信号受信部１２２によって受信され、受信信号処理部１２３に送られる。受信信号処理部１２３では、音声信号を取り出し、増幅出力部１２４によって増幅されスピーカ１３０から音声として出力される。
【００４２】
人感センサ１２５によって人が検知されるとセンサからの信号が入力信号処理部１２６に送られ、信号送信部１２７によって赤外線によって電源供給ユニット１０１に送られる。信号送信部１２７から送られた赤外線は信号受信部１１６によって受信し、信号出力部１１５から制御装置１３に送られる。
【００４３】
制御装置１３では、人感センサ１２５からの信号出力部１１５を介しての信号とカメラからの人の検知を行うまでは、または、距離情報により待機モードにする位置では、スピーカシステム駆動部１０４から待機モードの指令を入力信号処理部１１２に送り、制御部１１４によって電源部１１０を待機モードにし、電力を少ない状態で電力送信部１１１からスピーカユニット１０２に送り、待機モードとなっている。そして、音声の出力はゼロとなっている。人感センサ１２５とカメラ１１によって人を検知すると制御装置１３は、スピーカシステム駆動部１０４から電源供給モードの指令を入力信号処理部１１２に送り、制御部１１４は、電源部１１０に通常モードの指令を送り、通常の動作用の電力を電力送信部１１１から送り、スピーカユニット１０２は、音声を出力する。
【００４４】
次に、図４のフローチャートを用いて、本発明の第１実施形態に係る電子広告システム用スピーカシステムを備えた電子広告システム１０の動作を説明する。ここでは、化粧品の広告用表示画像と音声を具体例としてあげて説明する。まず、画像表示部１２の画面には、人の顔と画面が５ｍ以上離れていても見ることができる化粧品の名前とパッケージが大きく描かれた表示画像が表示されている。
【００４５】
ステップＳ１１：カメラ１１によって画像表示部１２の前方が撮影され、画像データが顔検出部２１に送られる。
ステップＳ１２：顔検出部２１によって顔が検出されたか否かを判断する。顔が検出されなければ、ステップＳ１３を実行する。
ステップＳ１３：スピーカシステム１００を待機モードにする。そして、ステップＳ１１に戻る。
ステップＳ１４：ステップＳ１２で顔検出部２１によって顔が検出されたならば、顔の情報が距離推定部２２に送られ、その顔の情報から目の間隔のピクセル数をカウントし、目の間隔を算出する。
ステップＳ１５：距離推定部２２によって目の間隔に基づいて人と画面との距離を推定する。
ステップＳ１６：画像選択部２３にその距離情報が、所定の距離より遠いか近いかを判断する。距離が所定の距離よりも遠いならば、ステップＳ１７を実行する。
ステップＳ１７：情報量が少ない現在の内容を継続して表示し続ける。すなわち、画像表示部１２の画面には、人の顔と画面が５ｍ以上離れていても見ることができる化粧品の名前とパッケージが大きく描かれた表示画像が表示されたままとなる。
ステップＳ１８：スピーカシステム１００を待機モードにする。そして、リターンする。
ステップＳ１９：ステップＳ１６において、距離が所定の距離よりも近いならば、情報量が多い、より詳細な内容を放映（表示）する。すなわち、画面の表示画像が切り替わり、化粧品の名前の他に効能が細かく記載された表示画像が表示される。
ステップＳ２０：スピーカシステム１００を電源供給モードにし、スピーカユニット１０２から広告用の音声によるメッセージや音楽を出力する。
【００４６】
なお、ここでは、目の間隔によって距離を推定したが、顔のサイズから距離を推定するようにしてもよい。そのときには、予め記憶装置１４または制御装置１３の図示しないメモリのデータ記憶領域に、顔のサイズに対応して距離が定められたテーブルを記憶しておく。また、顔の輪郭から目の位置までの長さと、目の間隔に基づいて距離を推定することもできる。このときには、顔の角度も推定し、それにより、距離を補正することができる。また、距離推定部２２によって推定される目の間隔や顔のサイズの時間変化から、その人の画面に接近する速度を推定し、画面との距離が適当な位置にくるタイミングで表示画像を切り換えるようにしてもよい。そのときには、その人の画面に接近する速度を推定する速度推定部を制御装置１３に設ければよい。
【００４７】
また、ここでは、人の距離が所定の距離になったときに、スピーカシステム１００を待機モードから電源供給モードにするようにして説明したが、カメラ１１と人感センサ１２５によって人を検知するまでは、スピーカシステム１００を待機モードにし、カメラ１１と人感センサ１２５によって人を検知したときにスピーカシステム１００が電源供給モードになりスピーカユニット１０２から広告用の音声によるメッセージと音楽等を出力するようにしてもよい。
【００４８】
以上説明したように、本実施形態によれば、カメラと人感センサにより人の検知をしないとき、または人が所定の距離離れているときは、電源供給ユニットの電源部を待機モードにし、カメラと人感センサにより人の検知が行われたとき、または、人が所定の距離以内にいるときは、電源供給ユニットの電源部を待機モードから電源供給モードに戻す制御手段を備えたため、人がいないとき、または、人が所定の距離離れているときには、音声の出力を抑え、人がいるとき、または、人が所定の距離以内にいるときだけ音声を出力するようにしたので、音声による広告を出力して流す時間に対する人のその広告が聞こえる時間の割合、すなわち、音声による広告の効率が高くなり、また、スピーカの電力がむだに使われてしまうということがなくなる。
【００４９】
図５は、本発明の第２実施形態に係る電子広告システム用スピーカシステムを備えた電子広告システム３０を示すブロック図である。この電子広告システム３０は、第１実施形態と同様、人の画面からの距離を推定する距離推定手段を備え、距離推定手段によって画面からの人の距離が推定されたときに、画面に表示する表示画像を距離に応じて変えることができ、距離に応じてスピーカシステムを待機モードと電源供給モードのいずれかにするシステムである。また、この第２実施形態では、画面の前の人が男性か女性か、年齢がどのくらいか等の人の属性を推定し、その属性に対応する人の数を集計し記録する。電子広告システム３０の外観は、第１実施形態と同様であるので、外観図は省略し、第１実施形態と同様の構成要素については、同一の符号を付し、説明を省略する。
【００５０】
記憶装置３２は、記憶装置１４に記憶されているデータに加えて、男性向け、女性向け、高齢者向け、低年齢向け、大人向けの表示画像と、音声メッセージや音楽等の音声も記憶している。
【００５１】
制御装置３１は、図５に示すように、制御部３３と、顔検出部２１と、属性推定部３４と、距離推定部２２と、画像選択部２３と、スピーカシステム駆動部１０６と、音声選択部２０３を備えている。制御装置３１の各部は、第１実施形態と同様、メモリに記憶された顔検出プログラム、属性推定プログラム、距離推定プログラム、画像選択プログラム、スピーカシステム駆動プログラム、音声選択プログラム等のソフトウェアまたは、ハードウェア、またはそれらの組み合わせにより構成することができる。
【００５２】
制御部３３は、カメラ１１と画像表示部１２の動作を制御する。また、制御部３３は、顔検出部２１と、属性推定部３４と、距離推定部２２と画像選択部２３と記憶装置３２と、スピーカシステム駆動部１０４と、音声選択部２０３を制御する。
【００５３】
属性推定部３４は、顔検出部２１から送られた顔の情報、すなわち、顔の輪郭、目と鼻、肌の色、しわ、白髪、頭部の髪の毛の量等の物理的形状から、予め集計された統計データから、その顔が男性か女性か、高齢者か低年齢か大人か等の属性を推定する。そして、推定した年代、性別と顔の数、すなわち、人数を記憶装置３２に記憶する顔計数手段を備えている。
【００５４】
距離推定部２２は、顔検出部２１から送られた顔の情報から目の間隔のピクセル数をカウントし、このピクセル数により目の間隔を算出する。そして、予め求めておいた目の間隔（ピクセル数）と距離との関係を示すグラフを用いて、画面と人までの距離を推定する。推定された人と画面との間の距離の情報は、最も近い人の距離の情報と属性が画像選択部２３に出力される。また、最も近い人の距離の情報は、スピーカシステム駆動部１０６に出力され、最も近い人の属性は、音声選択部２０３に出力される。
【００５５】
画像選択部２３は、距離と属性と記憶装置３２に記憶される表示画像との対応関係を有するテーブルを記憶しており、そのテーブルを用いて、距離推定部２２によって推定された人と画面との距離と属性推定部３４によって推定された属性に対応する表示画像を選択し、その表示画像番号を制御部３３に出力する。制御部３３は、記憶装置３２からその表示画像番号に対応する表示画像を画像表示部１２に出力し、画像表示部１２は、その表示画像を表示する。
【００５６】
音声選択部２０３は、属性と記憶装置３２に記憶される音声との対応関係を有するテーブルを記憶しており、そのテーブルを用いて、属性推定部３４によって推定された属性に対応する音声を選択し、その音声番号を制御部３３に出力する。制御部３３は、記憶装置３２からその音声番号に対応する音声をスピーカシステム２００に出力し、スピーカシステム２００は、その音声を出力する。
【００５７】
図６は、本発明の第２実施形態に係る電子広告システム用スピーカシステム２００のブロック図である。スピーカシステム２００は、電源供給ユニット２０１とスピーカユニット２０２を備えている。電源供給ユニット２０１は、電源部２１０と電力送信部２１１と入力信号処理部２１２と音声信号送信部２１３を備えている。スピーカユニット２０２は、電力受信部２１４と電源供給部２１５と音声信号受信部２１６と受信信号処理部２１７と増幅出力部２１８とスピーカ２１９を備えている。
【００５８】
図６において、電源部２１０からの電力は、電力送信部２１１によって、マイクロ波やコイル結合により無線でスピーカユニット２０２に送られ、スピーカユニット２０２の電力受信部２１４によって電力が受信される。電力受信部２１４によって受信された電力は、電源供給部２１５によって、音声信号受信部２１６と受信信号処理部２１７と増幅出力部２１８に送られる。また、電源供給ユニット２０１の電源部２１０は、入力信号処理部２１２と音声信号送信部２１３に電力が送られる。
【００５９】
制御装置から送られた音声信号は、入力信号処理部２１２から音声信号送信部２１３に送られ、音声信号送信部２１３は、赤外線により、音声信号がスピーカユニット２０２に送られる。音声信号送信部２１３から送られた赤外線は、音声信号受信部２１６によって受信され、受信信号処理部２１７に送られる。受信信号処理部２１７では、音声信号を取り出し、増幅出力部２１８によって増幅されスピーカ２１９から音声として出力される。
【００６０】
制御装置３０では、カメラ１１からの人の検知を行うまでは、または、距離情報により待機モードにする位置では、スピーカシステム駆動部１０６から待機モードの指令を入力信号処理部２１２に送り、制御部２２０によって電源部２１０を待機モードにし、電力を少ない状態で電力送信部２１１からスピーカユニット２０２に送り、待機モードとなっている。そして、音声の出力はゼロとなっている。カメラ１１によって人を検知、または、人の距離情報により所定の距離以内になったとき、制御装置３０は、スピーカシステム駆動部１０４から電源供給モードの指令を入力信号処理部２１２に送り、制御部２２０は、電源部２１０に電源供給モードの指令を送り、通常の動作用の電力を電力送信部２１１から送り、スピーカユニット２０２は、音声を出力する。
【００６１】
次に、図７のフローチャートを用いて、本発明の第２実施形態に係る電子広告システム用スピーカシステムを備えた電子広告システムの動作を説明する。
【００６２】
ステップＳ２１：カメラ１１によって画像表示部１２の前方が撮影され、画像データが顔検出部２１に送られる。
ステップＳ２２：顔検出部２１によって顔が検出されたか否か判断する。顔が検出されなければ、ステップＳ２３を実行する。
ステップＳ２３：スピーカシステム１００を待機モードにし、ステップ２１に戻る。
ステップＳ２４：ステップＳ２２において、顔検出部２１によって顔が検出されたならば、顔の情報が距離推定部２２に送られ、目の間隔のピクセル数をカウントし、目の間隔を算出する。
ステップＳ２５：属性推定部３４によって、顔の情報から人の年代・性別が推定される。
ステップＳ２６：属性推定部３４の顔計数手段によって年代・性別・人数を記憶装置３２に記録する。
ステップＳ２７：距離推定部２２によって目の間隔に基づいて距離を推定する。
ステップＳ２８：画像選択部２３にその距離情報が、所定の距離より遠いか近いかを判断する。
ステップＳ２９：ステップＳ２８において、距離が所定の距離よりも遠いならば、情報量が少ない現在の表示内容を継続して画像表示部１２は表示し続ける。
ステップＳ３０：スピーカシステム１００を待機モードにし、リターンする。
ステップＳ３１：ステップＳ２８において、距離が所定の距離よりも近いならば、情報量が多い、より詳細な内容を画像表示部１２は表示する。
ステップＳ３２：スピーカシステム１００を電源供給モードにし、スピーカユニット２０２から音声を出力する。そして、リターンする。
【００６３】
なお、ここでは、目の間隔によって距離を推定したが、顔のサイズから距離を推定するようにしてもよい。そのときには、予め記憶装置３２または制御装置３１の図示しないメモリのデータ記憶領域に、顔のサイズに対応して距離が定められたテーブルを記憶しておく。また、顔の輪郭から目の位置までの長さと、目の間隔に基づいて距離を推定することもできる。このときには、顔の角度も推定し、それにより、距離を補正することができる。
また、顔計数手段によって記憶装置３２に記録した年代、性別、人数は、マーケティング情報として用いることができる。
【００６４】
以上説明したように、本実施形態によれば、カメラにより人の検知をしないとき、または人が所定の距離離れているときは、電源供給ユニットの電源部を待機モードにし、カメラにより人の検知が行われたとき、または、人が所定の距離以内にいるときは、電源供給ユニットの電源部を待機モードから電源供給モードに戻す制御手段を備えたため、人がいないとき、または、人が所定の距離離れているときには、音声の出力を抑え、人がいるとき、または、人が所定の距離以内にいるときだけ音声を出力するようにしたので、スピーカの電力がむだに使われてしまうということがなくなる。また、顔計数手段によって計数した人数によってマーケティング情報を得ることができる。
【００６５】
次に、本発明の第３実施形態に係る電子広告システム用スピーカシステムを備えた電子広告システムを説明する。図８〜図１１は、本発明の第３実施形態に係る電子広告システム用スピーカシステムを備えた電子広告システムでの動作を示すフローチャートである。この電子広告システムは、人の画面からの距離を推定する距離推定手段を備え、距離推定手段によって画面からの人の距離が推定されたときに、画面に表示する表示画像を距離に応じて変えることができ、スピーカシステムの待機モードと通常モードの切替を距離に応じて行うシステムである。また、この実施形態では、画面の前の人が男性か女性か、年齢がどのくらいか等の人の属性を推定し、その属性に対応する映像を表示し、その属性に対応する音声メッセージや音楽等の音声をスピーカシステムから出力する。電子広告システムの外観とシステム構成は、第２実施形態と同様であるので、外観図とブロック図は、それぞれ図１と図５と図６を参照し、第２の実施形態と同様の各構成要素については、説明を省略する。ここでは、図８〜図１１を用いて、本発明の第３実施形態に係る電子広告システム用スピーカシステムを備えた電子広告システムの動作を説明する。ここでは、２０代の女性が３人でコンビニエンスストア２に来店した場合を例として説明する。
【００６６】
ステップＳ４１：カメラ１１によって画像表示部１２の前方が撮影され、撮影画像データが顔検出部２１に送られる。
ステップＳ４２：顔検出部２１によって顔が検出されたか否か判断する。
ステップＳ４３：ステップＳ４２において、顔が検出されなければ、スピーカシステム２００を待機モードにする。そして、ステップＳ４１に戻る。
ステップＳ４４：ステップＳ４２において、顔検出部２１によって顔が検出されたならば、検出された人数が１人か複数人かを判断する。一人の場合には、図９で示すステップＳ４４１を実行する。複数人の場合には、ステップＳ４５を実行する。この例では、３人の顔が検出され、ステップＳ４５を実行する。
【００６７】
図９のフローチャートを説明する。
ステップＳ４４１：一人の場合は、顔の情報が距離推定部２２に送られ、目の間隔のピクセル数をカウントし、目の間隔を算出する。
ステップＳ４４２：属性推定部３４によって、年代・性別が推定される。
ステップＳ４４３：属性推定部３４の顔計数手段によって年代・性別・人数を記憶装置３２に記録する。
ステップＳ４４４：距離推定部２２によって目の間隔に基づいて距離を推定する。
ステップＳ４４５：画像選択部２３によってその距離情報が、所定の距離より遠いか近いかを判断する。
ステップＳ４４６：ステップＳ４４５において、距離が所定の距離よりも遠いならば、情報量が少ないもので年代・性別に合わせた内容を放映（表示）する。
ステップＳ４４７：スピーカシステム２００を待機モードにする。
ステップＳ４４８：ステップＳ４４５において、距離が所定の距離よりも近いならば、情報量が多い、年代・性別に合わせた内容を放映（表示）する。
ステップＳ４４９：スピーカシステム２００は、年代・性別に合わせた内容の音声メッセージや音楽等を出力する。そして、リターンする。
【００６８】
図８のフローチャートに戻り説明する。
ステップＳ４５：ステップＳ４４で複数人の場合（この例の場合である）は、顔の情報が距離推定部２２に送られ、目の間隔のピクセル数をカウントし、目の間隔を算出する。この例では、３人の顔の目の間隔がそれぞれ算出される。
ステップＳ４６：属性推定部３４によって、年代・性別が推定される。この例では、３人とも２０代で女性であると推定される。
ステップＳ４７：属性推定部３４の顔計数手段によって年代・性別・人数を記憶装置３２に記録する。この例では、記憶装置３２に、２０代、女性、３人という情報が記録される。
ステップＳ４８：距離推定部２２によって目の間隔に基づいて距離を推定する。
ステップＳ４９：画像選択部２２によってその距離情報が、所定の距離（例えば５ｍ）より遠いか近いかを判断する。この例では、３人が５ｍより近くにいるとする。近い場合は、図１０に示すステップＳ４９１を実行する。遠い場合は、ステップＳ５０を実行する。
ステップＳ５０：スピーカシステム２００を待機モードにする。
ステップＳ５１：男性・女性いずれが多いかを判断する。
【００６９】
図１０のフローチャートを説明する。
ステップＳ４９１：男性と女性のいずれが多いかを判断する。男性が多い場合、ステップＳ４９１１を実行する。
ステップＳ４９１１：現在放映中の内容がターゲット層であるかいなか判断する。ターゲット層である場合、ステップＳ４９１２を実行する。ターゲット層ではない場合、ステップＳ４９１４を実行する。
ステップＳ４９１２：情報量が多いもので、男性向けでターゲット層向けの内容を放映（表示）する。
ステップＳ４９１３：スピーカシステムから男性向けでターゲット層向けの内容の音声メッセージや音楽等を出力する。
ステップＳ４９１４：情報量が多いもので、男性向けの内容を放映（表示）する。
ステップＳ４９１５：スピーカシステムから男性向けの内容の音声メッセージや音楽等を出力する。
【００７０】
ステップＳ４９２：現在放映中の内容がターゲット層であるかいなか判断する。ターゲット層である場合には、ステップＳ４９２１を実行する。ターゲット層ではない場合には、ステップＳ４９２３を実行する。
ステップＳ４９２１：情報量が多いもので女性向けでターゲット層向けの内容を放映（表示）する。
ステップＳ４９２２：スピーカシステムから女性向けでターゲット層向けの内容の音声メッセージや音楽等を出力する。
ステップＳ４９２３：情報量が多いもので、女性向けの内容を放映（表示）する。この例では、女性向けの例えば女性化粧品の広告で名前の他に効能が記載された表示画像が表示され、１分間その表示画像が表示される。
ステップＳ４９２４：スピーカシステムから女性向けの内容の音声メッセージや音楽等を出力する。
【００７１】
図８で示すステップＳ５１では、男性・女性いずれが多いかを判断する。男性が多い場合、図１１で示すステップＳ５１１を実行する。女性が多い場合は、ステップＳ５２を実行する。
【００７２】
図１１のフローチャートを説明する。
ステップＳ５１１：現在放映中の内容がターゲット層であるかいなか判断する。ターゲット層である場合、ステップＳ５１２を実行する。ターゲット層ではない場合、ステップＳ５１３を実行する。
ステップＳ５１２：情報量の少ないもので男性向けでターゲット層向けの内容を放映（表示）する。
ステップＳ５１３：情報量の少ないもので男性向けの内容を放映（表示）する。
【００７３】
図８のフローチャートに戻り説明する。
ステップＳ５２：現在放映中の内容がターゲット層であるかいなかを判断する。ターゲット層である場合は、ステップＳ５３を実行し、ターゲット層ではない場合には、ステップＳ５４を実行する。ステップＳ５３では、情報量が少ないもので、女性向けでターゲット層向けの内容を放映（表示）する。ステップＳ５４では、情報量の少ないもので、女性向けの内容を放映（表示）する。
【００７４】
なお、ここでは、目の間隔によって距離を推定したが、顔のサイズから距離を推定するようにしてもよい。そのときには、予め記憶装置３２または制御装置３１の図示しないメモリのデータ記憶領域に、顔のサイズに対応して距離が定められたテーブルを記憶しておく。また、顔の輪郭から目の位置までの長さと、目の間隔に基づいて距離を推定することもできる。このときには、顔の角度も推定し、それにより、距離を補正することができる。
また、記録した年代、性別、人数は、マーケティング情報として用いることができる。
【００７５】
以上説明したように、本実施形態によれば、カメラによって撮影された撮影画像データ内において人間の顔を検出する顔検出手段と、カメラによって撮影された撮影画像データから顔の第１の特徴に基づいてカメラから顔までの距離を推定する距離推定手段と、撮影画像データから顔の第２の特徴に基づいて人間の属性を推定する属性推定手段と、距離推定手段によって推定された距離が所定の距離になったときスピーカユニットによって出力する音楽またはメッセージを属性推定手段によって推定した属性に基づいて選択して出力する音声選択手段と、を備えたため、人の属性に合った音声を出力するので、その音声が人の注意を引き、一方的に音声を流すことがなくすことができる。結果として、音声による人の属性にあった特定の広告を出力し流す時間に対するその特定の広告の対象となる人の聞く時間の割合、すなわち、音声による広告の効率が高くなる。
【００７６】
次に、本発明の第４実施形態に係る電子広告システム用スピーカシステムを説明する。第４実施形態では、スピーカユニットに設けられた集音マイクでスピーカシステムの設置場所のノイズレベルを検出し、そのノイズレベルによって増幅出力部の増幅レベルを調整し、スピーカの音量を変化させる。ノイズレベルが高ければ、スピーカシステムから出力する音声を大きくし、ノイズレベルが低ければ、スピーカシステムから出力する音声を小さくして騒音の元とならないように周辺に配慮することができる。
【００７７】
図１２は、本発明の第４実施形態に係る電子広告システム用スピーカシステム３００のブロック図である。スピーカユニット３００は、電源供給ユニット３０１とスピーカユニット３０２を備えている。電源供給ユニット３０１は、電源部３０３と電力送信部３０４と入力信号処理部３０５と音声信号送信部３０６を備えている。スピーカユニット３０２は、電力受信部３０７と電源供給部３０８と音声信号受信部３０９と受信信号処理部３１０と増幅出力部３１１と集音マイク３１２と制御部３１３を備えている。
【００７８】
図１２において、電源部３０３からの電力は、電力送信部３０４によって、スピーカユニット３０２に送られ、スピーカユニット３０２の電力受信部３０７によって電力が受信される。電力受信部３０７によって受信された電力は、電源供給部３０８によって、音声信号受信部３０９と受信信号処理部３１０と増幅出力部３１１に送られる。また、電源供給ユニット３０１の電源部３０３は、入力信号処理部３０５と音声信号送信部３０６に電力が送られる。
【００７９】
制御装置（図示せず）から送られた音声信号は、入力信号処理部３０５から音声信号送信部３０６に送られ、音声信号送信部３０６は、赤外線により、スピーカユニット３０２に送られる。音声信号送信部３０６から送られた赤外線は、音声信号受信部３０９によって受信され、受信信号処理部３１０に送られる。受信信号処理部３１０では、音声信号を取り出し、増幅出力部３１１によって増幅されスピーカ３１４から音声として出力される。
【００８０】
集音マイク３１２によって、スピーカシステム３００の設置場所の音を検出し、その音信号を制御部３１３に送る。制御部３１３では、送られた音信号からノイズレベルを検出し、そのノイズレベルによって増幅出力部３１１の増幅レベルを調整する。それによって、スピーカ３１４の音量を変化させる。
【００８１】
制御部３１３では、検出されたノイズレベルが所定値よりも高ければ、スピーカシステム３００から出力する音声を大きくする。検出されたノイズレベルが所定値よりも低ければ、スピーカシステム３００から出力する音声を小さくする。それによって、騒音の元とならないように周辺に配慮することができ、その結果、スピーカシステム３００での電力のむだ使いをなくすことができる。
【００８２】
図１３は、本発明の第４実施形態に係る電子広告システム用スピーカシステム３００の動作を説明するフローチャートである。
【００８３】
ステップＳ６１：集音マイク３１２によって、周囲の音を検出する。
ステップＳ６２：制御部３１３は、送られた音信号からノイズレベルを算出する。
ステップＳ６３：算出されたノイズレベルが所定値以下か否か判断する。ノイズレベルが所定値以下ならば、ステップＳ６４を実行する。ノイズレベルが所定値より大きければ、ステップＳ６５を実行する。
ステップＳ６４：制御部３１３は、増幅出力部３１１の増幅率を第１の増幅率にして音声を小さくしてスピーカシステム３００から出力する。そして、リターンする。
ステップＳ６５：制御部３１３は、増幅出力部３１１の増幅率を第１の増幅率より大きな第２の増幅率にして音声を大きくしてスピーカシステム３００から出力する。そして、リターンする。
【００８４】
これにより、ノイズの大きい、少ないに対応して、音声を出力する量を変化させるので、常に良好に音声を聞くことができ、また、周囲の音に対して最適の音声出力になるように電力を使うので、ノイズに打ち消されないように音声を出力することができる。結果として、音声による広告を出力し流す時間に対する人のその広告が聞こえる時間の割合、すなわち、音声による広告の効率を高くすることができる。
【００８５】
次に、本発明の第５実施形態に係る電子広告システム用スピーカシステム４００を説明する。図１４は、第５実施形態に係る電子広告システム用スピーカシステム４００を備えた電子広告システム５００の模式図である。図１４（ａ）は、電子広告システム５００の正面図であり、図１４（ｂ）は、電子広告システム５００を上部から見た図である。電子広告システム５００は、ガラス１０３の内側に設けられた画像表示部５０１を備えた本体５０２と、左スピーカユニット４０１と左電源供給ユニット４０２と、右スピーカユニット４０３と右電源供給ユニット４０４からなるスピーカシステム４００を備えている。
【００８６】
左スピーカユニット４０１と右スピーカユニット４０３のそれぞれには、人感センサを設け、人の検出を行う。左右のいずれかの人感センサが人を検出した場合、検出した側のスピーカユニットの音声を出力する。両方の人感センサが人を検出した場合は、両方のスピーカユニットから音声を出力する。それにより、人の位置に対して、効率よく音声を出力することができ、電力のむだ使いをなくすことができる。
【００８７】
図１５は、本発明の第５実施形態に係る電子広告システム用スピーカシステムのブロック図である。左右のスピーカユニットと左右の電源供給ユニットは、同じ構成なので、図１５は、左右２組のうち、一方のスピーカユニットと電源供給ユニットを示している。スピーカシステム４００は、電源供給ユニット４０１とスピーカユニット４０２を備えている。電源供給ユニット４０１は、電源部４０３と電力送信部４０４と入力信号処理部４０５と音声信号送信部４０６と信号出力部４０７と信号受信部４０８を備えている。
【００８８】
スピーカユニット４０２は、電力受信部４１０と電源供給部４１１と音声信号受信部４１２と受信信号処理部４１３と増幅出力部４１４と人感センサ４１５と入力信号処理部４１６と信号送信部４１７を備えている。
【００８９】
図１５において、電源部４０３からの電力は、電力送信部４０４によって、スピーカユニット４０２に送られ、スピーカユニット４０２の電力受信部４１０によって電力が受信される。電力受信部４１０によって受信された電力は、電源供給部４１１によって、音声信号受信部４１２と受信信号処理部４１３と増幅出力部４１４に送られる。また、電源供給ユニット４０１の電源部４０３は、入力信号処理部４０５と音声信号送信部４０６に電力が送られる。
【００９０】
制御装置１３から送られた音声信号は、入力信号処理部４０５から音声信号送信部４０６に送られ、音声信号送信部４０６は、赤外線により、スピーカユニット４０２に送られる。音声信号送信部４０６から送られた赤外線は、音声信号受信部４１２によって受信され、受信信号処理部４１３に送られる。受信信号処理部４１３では、音声信号を取り出し、増幅出力部４１４によって増幅されスピーカ４１８から音声として出力される。
【００９１】
人感センサ４１５によって人が検知されるとセンサからの信号が入力信号処理部４１６に送られ、信号送信部４１７によって赤外線によって電源供給ユニット４０１に送られる。信号送信部４１７から送られた赤外線は信号受信部４０８によって受信し、信号出力部４０７から制御装置１３に送られる。制御装置１３では、人感センサ４１５からの信号出力部４０７を介しての信号によって人の検知を行うまでは、スピーカシステム駆動部から待機モードの指令を入力信号処理部４０５に送り、制御部４２０によって電源部を待機モードにし、電力を少ない状態で電力送信部４０４からスピーカユニット４０２に送り、待機モードとなっている。そして、音声の出力はゼロとなっている。人感センサ４１５によって人を検知すると制御装置１３は、スピーカシステム駆動部から動作モードの指令を入力信号処理部４０５に送り、制御部４２０は、電源部４０３に通常モードの指令を送り、通常の動作用の電力を電力送信部４０４から送り、スピーカユニット４０２は、音声を出力する。
【００９２】
図１６は、本発明の第５実施形態に係る電子広告システム用スピーカシステムの動作を説明するフローチャートである。
【００９３】
ステップＳ７１：左側の人感センサ４１５によって人が検知されたか否か判断する。人が検知されたならば、ステップＳ７２を実行する。人が検知されないならば、ステップＳ７３を実行する。
ステップＳ７２：左スピーカシステム４０１を通常モードにし、音声を出力する。
ステップＳ７３：左スピーカシステム４０１を待機モードにし、音声の出力を停止する。
ステップＳ７４：右側の人感センサ４１５によって人が検知されたか否か判断する。人が検知されたならば、ステップＳ７２を実行する。人が検知されないならば、ステップＳ７３を実行する。
ステップＳ７５：右スピーカシステム４０３を通常モードにし、音声を出力する。そして、リターンする。
ステップＳ７６：右スピーカシステム４０３を待機モードにし、音声の出力を停止する。そして、リターンする。
【００９４】
これにより、左右のいずれかの人感センサが人を検出した場合、検出した側のスピーカユニットの音声を出力し、両方の人感センサが人を検出した場合は、両方のスピーカユニットから音声を出力する。その結果、人の位置に対して、効率よく音声を出力することができる。
【００９５】
なお、本実施形態では、電子広告システムをコンビニエンスストアに設置した場合で説明したが、電子広告システムの設置場所として、ビルの壁面やデパート、スーパー、ホテル、銀行、空港、駅等があげられる。さらに、本実施形態において、スピーカシステムの待機モードと電源供給モードの切り替えと画像表示部１２で表示する表示画像の距離による切り替えを、人と画面との距離が５ｍ以上か以内かで行ったが、それに限らず、スピーカシステムの待機モードと電源供給モードの切り替えの距離と、表示画像の切り替えの距離を自由に設定することができる。そのために、制御装置１３，３１には、距離設定手段を設けておくことができる。
【００９６】
また、本実施形態では、スピーカユニット１０２を支持パイプ１０５によってさせるようにしたが、それに限らず、ガラス１０３に直接、吸盤や粘着テープ等によって固定するようにしても良い。さらに、本実施形態では、音声信号を電源供給ユニット１０１から赤外線により、スピーカユニット１０２に送るようにしたが、電子広告システム１０の本体に、音声信号を無線で送信する装置を設け、電源供給ユニット１０１を介さずに電子広告システム１０本体から音声信号を送るようにしても良い。
【００９７】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【符号の説明】
【００９８】
１          人
１０        電子広告システム
１１        カメラ
１２        画像表示部
１３        制御装置
１４        記憶装置
２０        制御部
２１        顔検出部
２２        距離推定部
２３        画像選択部
１００      電子広告システム用スピーカシステム（スピーカシステム）
１０１      電源供給ユニット
１０２      スピーカユニット
１０３      ガラス
１０４      支持パイプ
１０５      支持パイプ
１０６      スピーカシステム駆動部
１１０      電源部
１１１      電力送信部
１１２      入力信号処理部
１１３      音声信号送信部
１１４      制御部
１１５      信号出力部
１１６      信号受信部
１２０      電力受信部
１２１      電源供給部
１２２      音声信号受信部
１２３      受信信号処理部
１２４      増幅出力部
１２５      人感センサ
【図２】
2011053461.tif 000003
【図３】
2011053461.tif 000004
【図４】
2011053461.tif 000005
【図５】
2011053461.tif 000006
【図６】
2011053461.tif 000007
【図７】
2011053461.tif 000008
【図８】
2011053461.tif 000009
【図９】
2011053461.tif 000010
【図１０】
2011053461.tif 000011
【図１１】
2011053461.tif 000012
【図１２】
2011053461.tif 000013
【図１３】
2011053461.tif 000014
【図１５】
2011053461.tif 000015
【図１６】
2011053461.tif 000016
【図１】
2011053461.tif 000017
【図１４】
2011053461.tif 000018